(57)【要約】【課題】  表示部が見えやすく、優雅さや豪華さが感じられ、且つ、合理的な構成の装飾具を提供する。【解決手段】  穴６を有する珠２と、前記穴６の底面６ａに表示部７ａを外向きにして配置される表示板７と、前記穴６の内周面に適合する外周面を有して前記穴６に挿入固定される貴金属製の筒体８と、該筒体８の内周面に適合する周面を有して前記表示板７上に配置され、前記珠２の輪郭から膨出する外表面４ｃを有するレンズ部材４と、を備え、前記筒体８の外端縁８ａを前記レンズ部材４の表面に沿うように湾曲させて該レンズ部材４を保持する。【選択図】    図３
0003162680.tif 000002
【実用新案登録請求の範囲】
【請求項１】
穴を有する珠と、前記穴の底面に表示部を外向きにして配置される表示板と、前記穴の内周面に適合する外周面を有して前記穴に挿入固定される貴金属製の筒体と、該筒体の内周面に適合する周面を有して前記表示板上に配置され、前記珠の輪郭から膨出する外表面を有するレンズ部材と、を備え、前記筒体の外端縁を前記レンズ部材の表面に沿うように湾曲させて該レンズ部材を保持することを特徴とする、装飾具。
【考案の詳細な説明】
【技術分野】
【０００１】
本考案は、ネックレス、イヤリング等に使用する装飾具に関する。
【背景技術】
【０００２】
装飾具の一種として、引用文献１，２に記載のものが知られている。引用文献１のものは、貴金属製の基盤と、該基盤上に配設される絵画又は写真並びに該絵画又は写真を被覆する水晶板よりなる装飾品であって、前記水晶板は表・裏面側をほぼ同一の曲率とした凸状の滑らかな湾曲体とし、該水晶板の端縁部により絵画又は写真の周縁部を押さえ、且つ、該水晶板は、その端縁部の表面側を該基盤の周囲から立ち上げた貴金属製の立ち上げ部によって固定してなるものである。
【０００３】
引用文献２のものは、少なくとも一つの珠に、文字や図柄等の表示部を形成した念珠であって、前記表示部を、所定の表示事項を表した表示面を表に有する表示シートと、該表示シートの表側に設けられて珠の表面に固定される、凸状に湾曲した表面を有し、且つ透光性を有する凸レンズ状のレンズ部材と、で構成したものである。
【先行技術文献】
【特許文献】
【０００４】
【特許文献１】実用新案登録第３１３４３４３号公報
【特許文献２】実用新案登録第３０７０４７９号公報
【考案の概要】
【考案が解決しようとする課題】
【０００５】
本考案は、前記従来の装飾具とは異なる構成の装飾具であって、表示部が見えやすく、優雅さや豪華さが感じられ、且つ、合理的な構成の装飾具を提供しようとするものである。
【課題を解決するための手段】
【０００６】
前記課題を解決するため、本考案に係る装飾具は、穴を有する珠と、前記穴の底面に表示部を外向きにして配置される表示板と、前記穴の内周面に適合する外周面を有して前記穴に挿入固定される貴金属製の筒体と、該筒体の内周面に適合する周面を有して前記表示板上に配置され、前記珠の輪郭から膨出する外表面を有するレンズ部材と、を備え、前記筒体の外端縁を前記レンズ部材の表面に沿うように湾曲させて該レンズ部材を保持することを特徴とする（請求項１）。
【０００７】
本考案によれば、穴の底部に配置される表示板上の表示が、レンズ部材によって拡大されて外から大きくはっきりと視認できる。
【０００８】
また、レンズ部材の外表面が珠の周面よりも膨出しているので、前記レンズ部材を通して見える前記表示板上の表示がより明瞭となるほか、デザイン性も良い。本考案による装飾具を外から見たときに、貴金属製の筒体の外端縁が前記レンズ部材を取り囲むように位置することも、デザイン性の向上に貢献する。よって、優雅さや豪華さに優れる。
【０００９】
さらに、貴金属製の筒体が前記珠と前記レンズ部材の連結作用を奏するので、構成が合理的である。
【図面の簡単な説明】
【００１０】
【図１】本考案の実施の一形態に係る装飾具の正面図である。
【図２】図１の装飾具の側面図である。
【図３】図１の装飾具の要部拡大断面図である。
【考案を実施するための形態】
【００１１】
以下、添付図面を参照して、本考案の実施の一形態について説明する。
【００１２】
図１及び図２に示すように、本考案の実施の一形態に係る装飾具１は、珠２と、この珠２によって支持される表示３と、該表示３を拡大して見やすくするためのレンズ部材４と、を有する。
【００１３】
前記珠２は、宝石や貴石や真珠等を用いて形成される。前記珠２の上部には、リング５が連結される。このリング５には、貴金属製鎖や紐等、前記装飾具を身に付けるための図示しない連結部材が連結される。前記珠２の形状は、球形には限らず、滑らかな外表面を有するデザイン性に優れたものであればよい。
【００１４】
図示例の装飾具１は、一例として、ネックレスの装飾部として用いて好適な例を示しているが、前記珠２や前記リング５のサイズを適宜変更することで、イヤリングの装飾部として用いることもできる。
【００１５】
図３に示すように、前記珠２には、平らな底６ａのある穴６が浅めに形成されている。この穴６の開口形状は、限定はされないが通常は円形である。
【００１６】
前記穴６の中には、表示部７ａの前記表示３を外向きにして表示板７が配置される。該表示板７の裏面は前記穴６の底面６ａに密着する。前記表示板７は、前記珠２に絵や図柄等の表示３を付加するためのものである。例えば、前記表示板７の前記表示部７ａには、仏像の絵や写真、梵字、干支を表す絵や文字等、適宜の表示３が備えられている。前記表示板７は、前記穴６の底面６ａに接着してもよいが、必ずしも接着の必要はない。
【００１７】
前記穴６の中には、貴金属製の筒体８が挿入固定される。該筒体８は、前記穴６の内周面に適合する外周面を有する。このため、前記筒体８は前記穴６内にぴったりと収まる。前記筒体８を前記穴６の中にいっぱいまで挿入した状態で、前記筒体８の外端縁８ａは前記穴６から外方へ少しだけ突出する。前記筒体８は、このような長さに設定される。前記筒体８は、前記穴６に圧入固定してもよいし、前記筒体８の外周面と前記穴６の内周面との間に接着剤を介在させて固定してもよい。
【００１８】
前記筒体８の中には、全体形状がドーム状のレンズ部材４が挿入固定される。このレンズ部材４としては、水晶玉や光学レンズ等を用いることができる。前記レンズ部材４によって、前記表示板７上の表示３が拡大されて見える。前記レンズ部材４は、前記表示板７に密着してこれを押さえ付ける平らな底面４ａと、前記筒体８の内周面に適合する形状の周面４ｂと、前記筒体２への固定状態において外部に露出する外表面４ｃを有する。該外表面４ｃは、凸レンズのように滑らかに膨らみ、前記珠２の周面の輪郭からさらに外方へと膨出している。
【００１９】
前記レンズ部材４は、前記筒体８の前記外端縁８ａによって抜け落ちないように保持される。すなわち、前記筒体８内に前記レンズ部材４をいっぱいまで挿入した後、前記穴６から外方へ突出する前記筒体８の前記外端縁８ａを前記レンズ部材４の表面に沿うように湾曲させる。これにより、前記レンズ部材４が固定される。
【００２０】
前記構成の装飾具１によれば、前記穴６の底部６ａに配置される表示板７上の表示３が、レンズ部材４によって拡大されて外から大きくはっきりと視認できる。
【００２１】
また、レンズ部材４の外表面４ｃが珠２の周面よりも膨出しているので、レンズ部材４を通して見える前記表示板７上の表示３がより明瞭となるほか、デザイン性も良い。本考案による装飾具１を外から見たときに、貴金属製の筒体８の外端縁８ａが前記レンズ部材４を取り囲むように位置することも、デザイン性の向上に貢献する。よって、優雅さや豪華さに優れる。
【００２２】
さらに、貴金属製の筒体８が前記珠２と前記レンズ部材４の連結作用を奏するので、構成が合理的である。
【符号の説明】
【００２３】
２    珠
４    レンズ部材
４ｃ  レンズ部材の外表面
６    穴
６ａ  穴の底面
７    表示板
７ａ  表示部
８    筒体
８ａ  筒体の外端縁
【図１】
0003162680.tif 000003
【図２】
0003162680.tif 000004
【図３】
0003162680.tif 000005